(57)【要約】【課題】ユーザーが設定した起動スケジュールにおいて必要な調整が完了した状態とすることができる画像形成装置を提供する。【解決手段】画像形成装置の制御を行う制御部を有し、制御部は、予め設定された起動スケジュールに基づいて画像形成装置の起動を行って画像形成装置の調整を実施する機能を有し、前記機能を実行する設定がされている場合、起動前に、調整が行われる調整項目に基づいて調整に要する調整時間を求め、調整時間に基づいて、起動スケジュールを早めるように変更する。【選択図】図５
2017198795.tif 000002
【特許請求の範囲】
【請求項１】
画像形成を行う画像形成部を有する画像形成装置であって、
前記画像形成装置の制御を行う制御部を有し、
前記制御部は、予め設定された起動スケジュールに基づいて前記画像形成装置の起動を行って前記画像形成装置の調整を実施する機能を有し、
前記機能を実行する設定がされている場合、前記起動前に、前記調整が行われる調整項目に基づいて前記調整に要する調整時間を求め、前記調整時間に基づいて、前記起動スケジュールを早めるように変更することを特徴とする画像形成装置。
【請求項２】
前記制御部は、変更前に設定された起動スケジュールの時に前記調整が完了するように前記起動スケジュールの変更を行うことを特徴とする請求項１に記載の画像形成装置。
【請求項３】
前記制御部は、起動時における前記画像形成装置のウォームアップ時間を考慮して調整に要する前記調整時間を求めることを特徴とする請求項１または２に記載の画像形成装置。
【請求項４】
前記制御部は、調整に要する時間にウォームアップ時間を加算することを特徴とする請求項３記載の画像形成装置。
【請求項５】
前記制御部は、前記ウォームアップ時間中に並行して実行可能な調整項目がある場合、当該調整項目による調整を前記ウォームアップ時間中に行うことを特徴とする請求項３または４に記載の画像形成装置。
【請求項６】
前記制御部は、前記ウォームアップ時間中に並行して実行可能な調整項目がある場合、調整に要する調整時間から前記ウォームアップ時間中に並行して行われた時間を除外することを特徴とする請求項５記載の画像形成装置。
【請求項７】
前記ウォームアップ時間が、前記画像形成部で画像が形成された転写媒体の画像を定着する定着部のウォームアップ時間であることを特徴とする請求項３〜６のいずれか１項に記載の画像形成装置。
【請求項８】
前記調整が、前記画像形成部の調整であることを特徴とする請求項１〜７のいずれかに記載の画像形成装置。
【請求項９】
前記調整項目ごとの調整時間が保存されている記憶部を有し、
前記制御部は、前記調整に要する調整時間を求める際に、前記記憶部に保存されている調整時間を参照することを特徴とする請求項１〜８のいずれか１項に記載の画像形成装置。
【請求項１０】
前記制御部は、前記機能を実行する設定がされている場合、前記調整が実施可能かを判定し、判定の結果、実施不可とされる調整項目がある場合、実施不可の調整項目を除いた調整項目について前記調整時間を求めることを特徴とする請求項１〜９のいずれかに記載の画像形成装置。
【請求項１１】
前記制御部は、前記機能を実行する設定がされている場合、前記調整が実施可能かを判定し、判定の結果、実施不可とされる調整項目がある場合、ユーザーに通知を行うことを特徴とする請求項１〜１０のいずれか１項に記載の画像形成装置。
【請求項１２】
前記制御部は、実施不可とされる調整項目がある場合、実施不可の調整項目を、前記調整時間を求める際に除くかをユーザーに問い合わせることを特徴とする請求項１１に記載の画像形成装置。
【請求項１３】
前記制御部は、前記起動の際に予め定められた調整項目から実施不可な調整項目を除いて調整を行う場合、起動の後にユーザーに通知を行うことを特徴とする請求項１１または１２に記載の画像形成装置。
【請求項１４】
前記制御部は、前記機能を実行する設定がされている場合に、少なくとも前記画像形成部の動作を停止する電源オフの指示がなされた場合、電源オフ前に、前記調整が行われる調整項目に基づいて前記調整に要する調整時間を求め、前記調整時間に基づいて、前記起動スケジュールを早めるように変更することを特徴とする請求項１〜１３のいずれか１項に記載の画像形成装置。
【請求項１５】
前記制御部は、前記起動スケジュールの変更後に、前記電源オフを行うことを特徴とする請求項１４に記載の画像形成装置。
【請求項１６】
画像形成装置を有する画像形成システムであって、
前記画像形成システムの制御を行う制御部を有し、
前記制御部は、予め設定された起動スケジュールに基づいて前記画像形成システムの起動を行って前記画像形成システムの調整を実施する機能を有し、
前記機能を実行する設定がされている場合、前記起動前に、前記調整が行われる調整項目に基づいて前記調整に要する調整時間を求め、前記調整時間に基づいて、前記起動スケジュールを早めるように変更することを特徴とする画像形成システム。
【請求項１７】
画像形成装置を管理する管理制御部を有し、
前記管理制御部は、予め設定された起動スケジュールに基づいて前記画像形成装置の起動と前記画像形成装置の調整を実行させる機能を有し、
前記機能を実行する設定がされている場合、前記画像形成装置の起動前に、前記調整が行われる調整項目に基づいて前記調整に要する調整時間を求め、前記調整時間に基づいて、前記起動スケジュールを早めるように変更することを特徴とする管理装置。
【請求項１８】
画像形成装置の画像形成方法であって、
予め設定された起動スケジュールに基づいて前記画像形成装置の起動を行って前記画像形成装置の調整を実施する設定が行われている場合、前記起動前に、前記調整が行われる調整項目に基づいて前記調整に要する調整時間を求め、前記調整時間に基づいて、前記起動スケジュールを早めるように前記画像形成装置の設定を変更することを特徴とする画像形成方法。
【請求項１９】
画像形成装置の制御または管理を行う制御部で実行されるプログラムであって、
予め設定された起動スケジュールに基づいて前記画像形成装置の起動を行って前記画像形成装置の調整を実施する設定がされている場合、前記起動前に、前記調整が行われる調整項目に基づいて前記調整に要する調整時間を求めるステップと、
前記調整時間に基づいて、前記起動スケジュールを早めるように変更するステップと、を有することを特徴とするプログラム。
【発明の詳細な説明】
【技術分野】
【０００１】
この発明は、スケジュールに従った起動と装置調整が可能な画像形成装置、画像形成システム、管理装置、画像形成方法およびプログラムに関する。
【背景技術】
【０００２】
転写媒体に画像を形成する画像形成装置では、待機中にも電力を消費するので、消費電力を低減するために、夜間などの未使用の際には、少なくとも画像形成部を停止するように電源をオフにするのが一般的である。一方で、始業時などには、ユーザーが電源オンしなくてもすぐに使用できるように電源がオンの状態になっているのが望ましい。このため、起動時間を設定して、その時間に画像形成装置が自動的に起動するようにしたものが提案されている（例えば特許文献１）。
さらに、特許文献１では、コントローラーの起動完了の時間を計算して、その時間に合わせてコントローラーに接続されている他の機器が起動するタイミングを調整するようにして起動時機をより的確にしている。
【先行技術文献】
【特許文献】
【０００３】
【特許文献１】特開２０１３−１９５５８０号公報
【発明の概要】
【発明が解決しようとする課題】
【０００４】
ところで、画像形成装置を起動してから印刷を開始するまでに、色に係る調整などの装置調整を実施することがある。例えば、色に係る調整項目は１０項目以上に亘り、全て実施すると３０分程度掛かる場合がある。また、装置調整は、一般には画像形成に関する調整を行うものであるが、例えば、給紙トレイにおける調湿など、画像形成部以外の調整が必要になる場合もある。
このような装置調整は、画像形成装置が起動する際に、自動的に実行されるように予約することができる。
画像形成装置を自動的に起動するように起動時間を設定した場合、装置調整が必要でなければ、設定した起動時間に画像形成装置が起動して使用可能となる。しかし、装置調整が起動時に実施されるように設定されていると、画像形成装置が起動した後に装置調整が実施されるため、画像形成装置を直ちに使用したいというユーザーの要望に応えることができないという問題がある。
【０００５】
本願発明は、上記事情を背景としてなされたものであり、ユーザーが設定した起動スケジュールにできるだけ近い時期に画像形成装置を使用できるようにする画像形成装置、画像形成システム、管理装置、画像形成方法およびプログラムを提供することを目的の一つとする。
【課題を解決するための手段】
【０００６】
すなわち、本発明の画像形成装置のうち、第１の形態は、画像形成を行う画像形成部を有する画像形成装置であって、
前記画像形成装置の制御を行う制御部を有し、
前記制御部は、予め設定された起動スケジュールに基づいて前記画像形成装置の起動を行って前記画像形成装置の調整を実施する機能を有し、
前記機能を実行する設定がされている場合、前記起動前に、前記調整が行われる調整項目に基づいて前記調整に要する調整時間を求め、前記調整時間に基づいて、前記起動スケジュールを早めるように変更することを特徴とする。
【０００７】
本発明の他の形態の画像形成装置は、前記形態の本発明において、前記制御部は、変更前に設定された起動スケジュールの時に前記調整が完了するように前記起動スケジュールの変更を行うことを特徴とする。
【０００８】
本発明の他の形態の画像形成装置は、前記形態の本発明において、前記制御部は、起動時における前記画像形成装置のウォームアップ時間を考慮して調整に要する前記調整時間を求めることを特徴とする。
【０００９】
本発明の他の形態の画像形成装置は、前記形態の本発明において、前記制御部は、調整に要する時間にウォームアップ時間を加算することを特徴とする。
【００１０】
本発明の他の形態の画像形成装置は、前記形態の本発明において、前記制御部は、前記ウォームアップ時間中に並行して実行可能な調整項目がある場合、当該調整項目による調整を前記ウォームアップ時間中に行うことを特徴とする。
【００１１】
本発明の他の形態の画像形成装置は、前記形態の本発明において、前記制御部は、前記ウォームアップ時間中に並行して実行可能な調整項目がある場合、調整に要する調整時間から前記ウォームアップ時間中に並行して行われた時間を除外することを特徴とする。
【００１２】
本発明の他の形態の画像形成装置は、前記形態の本発明において、前記ウォームアップ時間が、前記画像形成部で画像が形成された転写媒体の画像を定着する定着部のウォームアップ時間であることを特徴とする。
【００１３】
本発明の他の形態の画像形成装置は、前記形態の本発明において、前記調整が、前記画像形成部の調整であることを特徴とする。
【００１４】
本発明の他の形態の画像形成装置は、前記形態の本発明において、前記調整項目ごとの調整時間が保存されている記憶部を有し、
前記制御部は、前記調整に要する調整時間を求める際に、前記記憶部に保存されている調整時間を参照することを特徴とする。
【００１５】
本発明の他の形態の画像形成装置は、前記形態の本発明において、前記制御部は、前記機能を実行する設定がされている場合、前記調整が実施可能かを判定し、判定の結果、実施不可とされる調整項目がある場合、実施不可の調整項目を除いた調整項目について前記調整時間を求めることを特徴とする。
【００１６】
本発明の他の形態の画像形成装置は、前記形態の本発明において、前記制御部は、前記機能を実行する設定がされている場合、前記調整が実施可能かを判定し、判定の結果、実施不可とされる調整項目がある場合、ユーザーに通知を行うことを特徴とする。
【００１７】
本発明の他の形態の画像形成装置は、前記形態の本発明において、前記制御部は、実施不可とされる調整項目がある場合、実施不可の調整項目を、前記調整時間を求める際に除くかをユーザーに問い合わせることを特徴とする。
【００１８】
本発明の他の形態の画像形成装置は、前記形態の本発明において、前記制御部は、前記起動の際に予め定められた調整項目から実施不可な調整項目を除いて調整を行う場合、起動後にユーザーに通知を行うことを特徴とする。
【００１９】
本発明の他の形態の画像形成装置は、前記形態の本発明において、前記制御部は、前記機能を実行する設定がされている場合に、少なくとも前記画像形成部の動作を停止する電源オフの指示がなされた場合、電源オフ前に、前記調整が行われる調整項目に基づいて前記調整に要する調整時間を求め、前記調整時間に基づいて、前記起動スケジュールを早めるように変更することを特徴とする。
【００２０】
本発明の他の形態の画像形成装置は、前記形態の本発明において、前記制御部は、前記起動スケジュールの変更後に、前記電源オフを行うことを特徴とする。
【００２１】
本発明の画像形成システムは、画像形成装置を有する画像形成システムであって、
前記画像形成システムの制御を行う制御部を有し、
前記制御部は、予め設定された起動スケジュールに基づいて前記画像形成システムの起動を行って前記画像形成システムの調整を実施する機能を有し、
前記機能を実行する設定がされている場合、前記起動前に、前記調整が行われる調整項目に基づいて前記調整に要する調整時間を求め、前記調整時間に基づいて、前記起動スケジュールを早めるように変更することを特徴とする。
【００２２】
本発明の管理装置は、画像形成装置を管理する管理制御部を有し、
前記管理制御部は、予め設定された起動スケジュールに基づいて前記画像形成装置の起動と前記画像形成装置の調整を実行させる機能を有し、
前記機能を実行する設定がされている場合、前記画像形成装置の起動前に、前記調整が行われる調整項目に基づいて前記調整に要する調整時間を求め、前記調整時間に基づいて、前記起動スケジュールを早めるように変更することを特徴とする。
【００２３】
本発明の画像形成方法は、画像形成装置の画像形成方法であって、
予め設定された起動スケジュールに基づいて前記画像形成装置の起動を行って前記画像形成装置の調整を実施する設定が行われている場合、前記起動前に、前記調整が行われる調整項目に基づいて前記調整に要する調整時間を求め、前記調整時間に基づいて、前記起動スケジュールを早めるように前記画像形成装置の設定を変更することを特徴とする。
【００２４】
本発明のプログラムは、画像形成装置の制御または管理を行う制御部で実行されるプログラムであって、
予め設定された起動スケジュールに基づいて前記画像形成装置の起動を行って前記画像形成装置の調整を実施する設定がされている場合、前記起動前に、前記調整が行われる調整項目に基づいて前記調整に要する調整時間を求めるステップと、
前記調整時間に基づいて、前記起動スケジュールを早めるように変更するステップと、を有することを特徴とする。
【発明の効果】
【００２５】
本発明によれば、起動時に行われる調整項目に基づいて、調整に要する調整時間を求め、求められた調整時間に基づいて起動スケジュールを変更するので、予め設定された起動スケジュールにできるだけ近い時期に画像形成装置を使用することが可能となる。
【図面の簡単な説明】
【００２６】
【図１】本発明の一実施形態の画像形成装置の機械的な構成を示す概略図である。
【図２】同じく、画像形成装置の制御ブロックを示す図である。
【図３】同じく、起動時間設定および一括調整予約を行う操作画面の例を示す図である。
【図４】同じく、電源ＯＦＦ時に一括調整できない調整項目がある場合の操作画面の例を示す図である。
【図５】同じく、起動スケジュールの変更を行う手順を示すフローチャートである。
【図６】同じく、設定された起動スケジュールに基づいて画像形成装置の起動と装置調整を行う手順を示すフローチャートである。
【図７】同じく、変更する起動スケジュールを算出する手順を示すフローチャートである。
【発明を実施するための形態】
【００２７】
以下に、本発明の一実施形態を添付図面に基づいて説明する。
画像形成装置１は、画像形成装置本体１０と、画像形成装置本体１０の前段側に接続された大容量給紙トレイ１７０と、画像形成装置本体１０の後段側に接続された後処理装置（ＦＮＳ）１８０を有している。画像形成装置１では、各装置間で用紙の搬送が可能になっているとともに、互いに通信可能になっている。
【００２８】
画像形成装置本体１０では、その上部側に、ＣＣＤ１３１を含むスキャナー部１３０、流し込みｔｙｐｅ自動原稿給送装置（ＡＤＦ）１３５が設けられており、プラテンガラス１３７またはＡＤＦ原稿読み取り用スリットガラス１３８を通して原稿の画像読取が可能になっている。
【００２９】
また、画像形成装置本体１０の上部側で、プラテンガラス１３７が位置しない箇所に、ＬＣＤにタッチパネルを設けた操作表示部１４０が設けられている。操作表示部１４０は、操作者による操作および情報の表示が可能になっており、操作部を構成するとともに、本発明の表示部を兼用している。なお、本発明としては、操作部と表示部とを別体で構成することも可能である。
【００３０】
画像形成装置本体１０の下部側には、複数の給紙トレイ（１−３）１４５（図では３段）が配置されている。さらに、画像形成装置本体１０に付設するようにして、給紙トレイを有する大容量給紙トレイ１７０が配置されている。
【００３１】
画像形成装置本体１０内には、いずれかの給紙トレイから給紙される用紙を搬送する搬送経路１４７、第二給紙ローラー１４６などが設けられている。画像形成装置本体１０内の搬送経路途中に、ＬＤ１５１Ａ、感光体１５１Ｂ、帯電器１５１Ｃ、現像器１５１Ｄ、転写部１５１Ｅ、定着器１５１Ｆなどで構成される画像形成部１５１が設けられている。定着器１５１Ｆは、本発明の定着部に相当する。画像形成部１５１では、帯電器１５１Ｃ、現像器１５１Ｄ、および転写部１５１Ｅは、感光体１５１Ｂの周囲に配置されている。
【００３２】
また、大容量給紙トレイ１７０には、それぞれ給紙された用紙を搬送して画像形成装置本体１０内に導入する搬送経路（図示しない）が設けられている。さらに、後処理装置（ＦＮＳ）１８０では、画像が印刷された用紙を搬送して後処理を行うことなく、または後処理を行って排紙をするための搬送経路（図示しない）を有している。
各搬送経路では、用紙を搬送する搬送ローラー、搬送モータなどによって搬送部が構成されている。
【００３３】
また、画像形成部１５１、給紙トレイ（１−３）１４５、大容量給紙トレイ１７０、搬送経路１４７、第二給紙ローラー１４６などによって、プリンター部１５０が構成されている。
【００３４】
画像形成装置１において画像形成を行う場合、画像形成部１５１の帯電器１５１Ｃは、画像書込み前に感光体１５１Ｂの表面を一様に帯電する。ＬＤ１５１Ａは、表面が一様に帯電された感光体１５１Ｂに半導体レーザを照射することにより感光体１５１Ｂに静電潜像を形成する。現像器１５１Ｄは、ＬＤ１５１Ａによって感光体１５１Ｂに形成された静電潜像をトナー部材によって現像する。この現像処理によって感光体１５１Ｂにトナー画像が形成される。転写部１５１Ｅは、給紙トレイ（１−３）１４５や大容量給紙トレイ１７０から、搬送経路１４７を通して搬送されてきた用紙に感光体１５１Ｂのトナー画像を転写する。トナー画像が転写された用紙は、感光体１５１Ｂから分離されて定着器１５１Ｆに搬送される。感光体１５１Ｂに残留したトナー部材は、図示しないクリーニング部によって除去される。
【００３５】
定着器１５１Ｆは、搬送された用紙を加熱することにより、用紙の表面側に転写されたトナー画像を定着する。定着処理が施された用紙は、片面印刷の場合には画像形成装置本体１０の側方に位置する後処理装置（ＦＮＳ）１８０に、搬送経路１４７を通してそのまま搬送される。一方、両面印刷の場合には、定着後の用紙が、反転搬送経路１４７Ａによってスイッチバックされて当該用紙の裏面側に画像形成部１５１で所定の画像が転写される。そして、両面に画像が形成された用紙は定着後に後処理装置（ＦＮＳ）１８０に搬送される。
【００３６】
後処理装置（ＦＮＳ）１８０では、ステイプル、パンチ、中折り、製本などの後処理などが行われる。本発明としては後処理の内容は特に限定されるものではなく、後処理装置を有していないものであってもよい。
【００３７】
上記の画像形成装置１は、画像形成装置本体１０と、大容量給紙トレイ１７０と、後処理装置（ＦＮＳ）１８０を有するものとして説明したが、本発明としては画像形成装置を構成する装置等は、その数や種別が特に限定されるものではなく、複数の後処理装置を備えるものであってもよく、その他に、中継装置、スタック装置などの各種の後処理装置を接続するものであってもよい。さらに、後処理装置を画像形成装置本体に内蔵してもよく、また、画像形成装置に後処理装置を備えないものであってもよい。
また、画像形成装置本体１０のみによって画像形成装置が構成され、その他の装置とともに画像形成システムを構成するものであってもよい。
【００３８】
図２は、デジタル複合機（コピア、プリンター、スキャナー）として機能する画像形成装置１の回路ブロックおよび画像形成システムを構成するネットワーク構成を示す図である。その内容を以下に詳細に説明する。
【００３９】
画像形成装置１は、デジタルコピア本体と、画像処理部（プリント＆スキャナーコントローラー）１６０とを備えている。デジタルコピア本体は、制御ブロック１１０とスキャナー部１３０と操作表示部１４０とプリンター部１５０とを有し、画像処理部（プリント＆スキャナーコントローラー）１６０は、ＬＡＮ３を通して外部装置４などの外部機器から入力される画像データーを処理し、またはスキャナー部１３０で得た画像データーを、ＬＡＮ３を通して外部装置４などの外部機器に転送可能にする。
【００４０】
なお、外部装置４は、画像形成装置１を管理する管理装置として動作するものとしてもよい。その場合、画像形成装置１と、外部装置４は、本発明の画像形成システムを構成する。外部装置４には、外部装置４の制御を行う外部装置制御部４００と表示操作を行う表示操作部４１０とを有しており、外部装置４を管理装置として使用する場合、外部装置制御部４００は、本発明の管理制御部に相当する。また、表示操作部４１０は、操作部と表示部とをそれぞれ個別に備えるものであってもよい。
【００４１】
制御ブロック１１０には、前記画像処理部（プリント＆スキャナーコントローラー）１６０に接続されたＰＣＩバス１１２を有しており、該ＰＣＩバス１１２にＤＲＡＭ制御ＩＣ１１１が接続されている。ＤＲＡＭ制御ＩＣ１１１には、圧縮メモリー１２１とページメモリー１２２とからなる画像メモリー１２０が接続されている。圧縮メモリー１２１は、ジョブ管理情報や原稿などの圧縮画像データーを格納するためのメモリーであり、ページメモリー１２２は、画像形成前にプリント対象の非圧縮画像データーを一時的に格納するためのメモリーである。
【００４２】
また、ＰＣＩバス１１２にはＨＤＤ１２７が接続されている。ＨＤＤ１２７は、画像形成装置１や画像処理部（プリント＆スキャナーコントローラー）１６０に接続される外部装置４などにより生成されたジョブ等を保存する。ＨＤＤ１２７には、複数のジョブの保存が可能である。各ジョブには、ジョブ全体の情報とページ単位の情報と画像データーと印刷条件とが含まれている。
【００４３】
また、制御ブロック１１０には、制御ＣＰＵ１１３を備えており、該制御ＣＰＵ１１３に前記ＤＲＡＭ制御ＩＣ１１１が接続されている。
また、制御ＣＰＵ１１３には、ＲＯＭ１１４と不揮発メモリー１１５が接続されている。不揮発メモリー１１５には、制御ＣＰＵ１１３で実行されるプログラムや画像形成装置本体１０の設定データー、プロセス制御パラメータなどが格納されている。さらに、不揮発メモリー１１５には、ユーザーによって設定された起動スケジュール、調整項目毎の調整時間、起動時に実施する調整項目、調整に用いるパッチ画像等の調整用データー、各調整項目を定着器のウォームアップ中に実施するかの設定、定着器のウォームアップ時間、各調整項目の実施に必要な資材量、画像形成装置１の資材情報（用紙残量など）、などが参照可能に格納されている。また、設定内容によっては書き込み可能とするものであってもよい。これらの設定内容の一部または全部を、ＲＯＭ１１４やＨＤＤ１２７、ＲＡＭなどに格納するものであってもよい。上記した設定内容が格納された不揮発メモリー１１５やＲＯＭ１１４、ＨＤＤ１２７、ＲＡＭなどは本発明の記憶部に相当する。
ＲＯＭ１１４には、上記制御ＣＰＵ１１３に所定の動作を実行させるためのプログラムが読み出し可能に格納されている。なお、プログラムは、外部から提供されて不揮発メモリーやＨＤＤなどに格納されるものであってもよい。
【００４４】
制御ＣＰＵ１１３は、前記ＲＯＭ１１４や不揮発メモリー１１５に格納された不揮発データーを読み取ることが可能であり、また、所望のデーターを不揮発データーとして不揮発メモリー１１５に書き込むことが可能である。制御ＣＰＵ１１３は、上記設定データーなどに従って画像形成装置１の各部を動作制御する。
【００４５】
制御ＣＰＵ１１３は、画像形成装置１全体を制御するものであり、ＲＯＭ１１４に格納されたプログラムや、不揮発メモリー１１５などとともに本発明の制御部を構成する。
制御ＣＰＵ１１３は、画像データーの取得や画像出力のための制御のほか、画像形成装置の調整に要する調整時間の算出や、調整時間に基づいて起動スケジュールを変更する際の変更基準値、起動スケジュールに基づいた画像形成装置の起動、画像形成装置の調整等を実現するための制御等を行う。
【００４６】
また、制御ＣＰＵ１１３には、図示しないＲＴＣ（日時データー発生装置）が接続されており、ＲＴＣ（日時データー発生装置）は日時データーを制御ＣＰＵ１１３に送信する。日時データーは、起動スケジュールに基づいて画像形成装置を起動する際に用いることができる。
【００４７】
スキャナー部１３０は、光学読み取りを行うＣＣＤ１３１と、スキャナー部１３０全体の制御を行うスキャナー制御部１３２とを備えている。スキャナー制御部１３２は、前記制御ＣＰＵ１１３とシリアル通信可能に接続されている。また、前記ＣＣＤ１３１は、該ＣＣＤ１３１で読み取った画像データーを処理する読み取り処理部１１６に接続され、該読み取り処理部１１６には画像データーを圧縮処理する圧縮ＩＣ１１８が接続され、該圧縮ＩＣ１１８は前記したＤＲＡＭ制御ＩＣ１１１に接続されている。
【００４８】
操作表示部１４０は、タッチパネルを有するＬＣＤ１４１と、操作部全体を制御する操作部制御部１４２とを備えている。操作表示部１４０は、表示と操作とを兼ね、本発明の表示操作部に相当する。該操作部制御部１４２は前記制御ＣＰＵ１１３にシリアル通信可能に接続されている。
【００４９】
操作表示部１４０では、画像形成装置１の各部に対する各種の設定が可能で、設定に基づいて画像制御ＣＰＵ１１３によって画像形成と用紙の搬送や後処理が制御される。さらに、操作表示部１４０では、画像形成装置１における印刷設定や動作制御条件などの機械設定入力、出力などに関する設定や、各給紙トレイの用紙情報の設定（サイズ、紙種）や、出力モード設定（例えば通常コピーモード、確認コピーモード）、画像形成装置の起動スケジュールの設定、起動時に実施する調整項目の設定などが可能になっている。また、各種の問い合わせに対する回答操作を行うことができる。また、操作表示部１４０は、設定内容の表示、通知の表示など、所望の情報等の表示が可能になっている。
【００５０】
また、前記ＤＲＡＭ制御ＩＣ１１１には、圧縮された画像データーを伸長する伸長ＩＣ１２５が接続されており、該伸長ＩＣ１２５には書き込み処理部１２６が接続されている。書き込み処理部１２６は、プリンター部１５０のＬＤ１５１Ａ（レーザダイオード）に接続され、該ＬＤ１５１Ａの動作に用いられる書き込みデーターの処理を行う。また、プリンター部１５０は、プリンター部１５０の全体（給紙、画像形成、排紙、後処理など）を制御するプリンター制御部１５２を備えており、プリンター制御部１５２は前記した制御ＣＰＵ１１３に接続されている。プリンター制御部１５２は制御ＣＰＵ１１３の制御指令に従って動作してプリンター部１５０を制御する。
【００５１】
また、前記ＤＲＡＭ制御ＩＣ１１１が接続されたＰＣＩバス１１２には、前記画像処理部（プリント＆スキャナーコントローラー）１６０のＤＲＡＭ制御ＩＣ１６１が接続されている。前記画像処理部（プリント＆スキャナーコントローラー）１６０は、画像形成装置をネットワークプリンターやネットワークスキャナーとして使用する場合に、ＬＡＮ３に接続される外部装置４などから画像データー等を画像形成装置１で受信したり、スキャナー部１３０で取得した画像データーをＬＡＮ３に接続される外部装置４などに送信したりするものである。画像処理部（プリント＆スキャナーコントローラー）１６０では、ＤＲＡＭ制御ＩＣ１６１に、ＤＲＡＭなどで構成される画像メモリー（ＤＲＡＭ）１６２が接続されている。また、画像処理部（プリント＆スキャナーコントローラー）１６０では、共通バスに、前記ＤＲＡＭ制御ＩＣ１６１と、画像処理部（プリント＆スキャナーコントローラー）１６０全体の制御を行うコントローラー制御ＣＰＵ１６３と、ＬＡＮインターフェース１６５と、ＨＤＤ１６６と、が接続されている。ＬＡＮインターフェース１６５は、ＬＡＮ３に接続されている。
【００５２】
次に、上記画像形成装置１の基本的動作について説明する。
まず、画像形成装置１において画像データーを蓄積する手順について説明する。
第１に、画像形成装置１において、スキャナー部１３０で画像を読み取り画像データーを生成する場合について説明する。
スキャナー部１３０において原稿からＣＣＤ１３１により画像を光学的に読み取る。この際には、制御ＣＰＵ１１３から指令を受けるスキャナー制御部１３２によってＣＣＤ１３１の動作制御を行う。原稿の読み取りは、自動原稿搬送装置（ＡＤＦ）１３５によって行ってもよく、また、プラテンガラス１３７上に原稿を置いて行ってもよい。
【００５３】
制御ＣＰＵ１１３はプログラムによって動作し、操作表示部１４０による操作に基づいてスキャナー部１３０への指令を発行する。ＣＣＤ１３１で読み取られた画像は、読み取り処理部１１６でデーター処理がなされ、データー処理された画像データーは、圧縮ＩＣ１１８において所定の方法によって圧縮され、ＤＲＡＭ制御ＩＣ１１１を介して圧縮メモリー１２１に格納される。また、ＨＤＤ１２７を用いる場合は、ＤＲＡＭ制御ＩＣ１１１を介して圧縮メモリー１２１に格納された画像データーをＨＤＤ１２７に格納する。
【００５４】
この他に画像データーは、ＬＡＮ３を介して画像形成装置１に入力される。上記画像データーとしては、例えば外部装置４などのアプリケーションプログラム等により生成されたものや他の画像形成装置により生成されたものが挙げられる。該データーは、ＬＡＮ３、ＬＡＮインターフェース１６５を介して画像処理部（プリント＆スキャナーコントローラー）１６０で受信され、ＤＲＡＭ制御ＩＣ１６１によって画像メモリー（ＤＲＡＭ）１６２やＨＤＤ１６６に一旦格納される。上記画像メモリー（ＤＲＡＭ）１６２やＨＤＤ１６６のデーターは、ＰＣＩバス１１２を介してＤＲＡＭ制御ＩＣ１１１に転送され、ページメモリー１２２に一旦格納される。ページメモリー１２２に格納されたデーターは、ＤＲＡＭ制御ＩＣ１１１を介して圧縮ＩＣ１１８に順次送られて圧縮処理され、ＤＲＡＭ制御ＩＣ１１１を介して圧縮メモリー１２１に格納される。ＨＤＤ１２７に格納する場合、ＤＲＡＭ制御ＩＣ１１１を介して圧縮メモリー１２１に格納されたデーターをＨＤＤ１２７に格納する。
【００５５】
次に、画像形成装置１において画像を出力する場合について説明する。
画像形成装置１で印刷を行う場合、圧縮メモリー１２１に格納された画像データーを、ＤＲＡＭ制御ＩＣ１１１を介して伸長ＩＣ１２５に送出してデーターを伸長する。ＨＤＤ１２７に格納された画像データーを画像出力する場合は、ＤＲＡＭ制御ＩＣ１１１を介して一旦圧縮メモリー１２１に格納し、ＤＲＡＭ制御ＩＣ１１１を介して伸長ＩＣ１２５に送出してデーターを伸長する。
【００５６】
伸長したデーターは、ＤＲＡＭ制御ＩＣ１１１を介して書き込み処理部１２６に送出して書き込みデーターを生成し、ＬＤ１５１Ａによって感光体１５１Ｂへの書き込みを行う。また、プリンター部１５０では、制御ＣＰＵ１１３の指令を受けたプリンター制御部１５２によって、給紙トレイ（１−３）１４５、大容量給紙トレイ１７０、搬送部、画像形成部１５１などの各部の制御が行われる。プリンター部１５０において、画像形成、用紙への転写、定着、搬送路による後処理装置（ＦＮＳ）１８０への搬送、後処理装置（ＦＮＳ）１８０での後処理などが順次行われて印刷出力が行われる。
【００５７】
次に、予め設定された起動スケジュールと起動時に実施する調整項目とに基づいて起動スケジュールを変更する動作について説明する。なお、以下の説明では起動スケジュールは起動時間として説明する。ただし、起動スケジュールは起動時間に限定されるものではなく、例えば、何時間後などの設定によることも可能である。
【００５８】
制御ＣＰＵ１１３は、予め設定された起動スケジュールに基づいて画像形成装置を起動する機能、画像形成装置の調整を行う機能、さらに、起動スケジュールに基づいて画像形成装置を起動したときに調整を実施する機能を有している。なお、起動に際し、装置調整を行う機能のみを有するものであってもよい。
ユーザーは、起動時間の設定、および、起動時に行う調整項目の設定を行うことが可能であり、起動時間および調整項目の設定は操作表示部１４０の操作を通じて行うことができる。
【００５９】
起動時に実施する調整項目の設定では、ユーザーが任意の項目を選択する構成としてもよく、また、複数の項目を一括して実施できる一括調整モードを有する構成としてもよい。一括調整モードとして、例えば、色に係る調整は１０項目以上にわたるため、それらの調整を一括して実施するモードとすることが可能である。なお、一括調整モードにおいても、必ずしも全ての調整を実施する必要はなく、ユーザーが選択した調整のみを実施することも可能である。なお、調整項目としては、画像形成部１５１において画質調整を行うもののほか、画像形成装置１の他部の調整を行うものとしてもよい。
また、調整項目は、画像形成装置の稼働状況（例えば稼働時間、印刷枚数）に応じて変更されるものであってもよく、調整項目を稼働状況に応じて自動的に変更するようにしてもよい。稼働状況は、画像形成装置の制御を行う制御ＣＰＵ１１３において把握されており、その内容を不揮発メモリー１１５などに格納しておくことができる。
【００６０】
図３は、オンオフ設定と一括調整の予約設定を行う際の設定画面１４００の操作画面を示すものである。
設定画面１４００では、ＯＮ時刻（起動時間）の設定、ＯＦＦ時間の設定および、一括調整の予約設定が可能となっており、設定された起動時間と設定されたＯＦＦ時間が予約時刻設定欄１４２０に表示され、一括調整は、一括調整チェック欄１４２１に表示されている。
この例では、起動時間とＯＦＦ時間は、時刻によって設定することができる。ＯＮ時間の欄、ＯＦＦ時間の欄を選択してテンキー１４１２の入力によって時、分の時刻を入力することができ、設定釦１４１３を押下することで設定がなされる。また、曜日別に設定を行いたい場合は、曜日別一括設定釦１４１４を押下することで、曜日別に設定を行うことができる。この例では、曜日別一括設定が選択されておらず、いずれかの曜日におけるＯＮ時刻またはＯＦＦ時刻において設定がなされると、全曜日において同一の設定がなされる。なお、この例では、月曜日にＯＮ時間が設定されていることが反転表示で示されている。一方、設定がなされていない場合には、どの曜日でも反転表示がなされず、時刻には０：００の表示を行うことができる。この例では、ＯＦＦ時間の設定はなされていない。
【００６１】
一括調整チェック欄１４２１では、一括調整チェック欄１４２１を押下することでチェックの有無が変更される。したがって、押下によってチェックマークが付いた後に、再度押下すると、チェックが外れる。一括調整は、曜日別にチェックの有無を選択することができる。一括調整にチェックマークがついている場合は、調整が予約されている状態を示す。この例では、各曜日において一括調整が行われるように設定されている。なお、この設定画面１４００では、調整を行う場合は、全て同じ一括調整が行われるものとしているが、例えば詳細釦などの操作釦を設け、操作釦が押下された際には調整を行う調整項目を選択できるようにしてもよい。
設定画面１４００には、ＯＫ釦１４１０とキャンセル釦１４１１が押下可能に表示されており、設定画面１４００において設定を行った後、ＯＫ釦１４１０を押すと設定が確定される。キャンセル釦１４１１を押すと操作内容がキャンセルされ、設定画面１４００を開く前の設定内容に戻る。
【００６２】
制御部は、設定された起動時間で起動し、一括調整の設定にしたがって、調整を行うかを判定する。
一括調整が予約されていない場合、画像形成装置は設定された時間になると起動するが、一括調整が予約されている場合は、一括調整に掛かる時間を計算してその時間分前倒して画像形成装置を起動し、一括調整を実行することができる。起動スケジュールを早める場合、調整時間分をそのまま前倒ししてもよく、それよりも少ない時間で前倒しをしてもよい。また、調整時間の算出精度を考慮して、調整時間よりも多い時間で前倒しをするようにしてもよい。
【００６３】
さらに、一括調整に掛かる時間を計算する際には、定着のウォームアップに掛かる時間も考慮して調整時間を算出し、その時間分前倒しで起動するのが望ましい。なお、ウォームアップ時間が短い装置では、ウォームアップ時間を考慮することなく起動スケジュールの変更処理を行うものであってもよい。
【００６４】
さらに、用紙を出力しない調整の場合（例えばガンマ自動調整や副走査濃度バランス調整）は、定着部のウォームアップと調整動作を同時に実施することができるため、そのような場合はウォームアップと同時に調整を実施した時間を計算する。用紙出力する調整（最高濃度調整や出力紙濃度調整など）は、ウォームアップと同時に調整を実施できないため、同時実施しない場合の時間で計算を行う。
なお、上記した説明では、定着部のウォームアップ時間を考慮するものとしたが、定着部に限らず、画像形成装置本体の他部や後処理装置のウォームアップ時間を考慮するようにしてもよい。例えば、後処理装置（ＦＮＳ）１８０における糊加熱などのウォームアップ時間などが例示される。
【００６５】
上記した調整時間の計算および起動スケジュール変更処理は、画像形成装置の起動時より前であればよいが、例えば、少なくとも画像形成装置を停止させる電源ＯＦＦの指示を受けたときに、電源ＯＦＦ前に完了するように行うことができる。この際の電源ＯＦＦは、主電源に対し、副電源をＯＦＦする動作により行うことができる。電源ＯＦＦの際にも制御ＣＰＵ１１３では、画像形成装置１の起動を行うための動作は継続される。
【００６６】
また、起動時間が設定され、起動時に装置調整を実施する設定がされている場合、装置調整が実施可能であるかをチェックすることができる。例えば、資材の状況や用紙残量によって調整が不可となる場合がある。
選択されている全ての調整項目が実施可能である場合、調整に要する調整時間を計算し、調整時間に基づいて次回起動時に前倒して画像形成装置を起動することができるが、選択されている調整に実施できない調整項目が含まれている場合、実施できない調整項目を除外して調整時間を算出し、装置調整では当該調整項目の実施を行わないものとしてもよい。
また、実施不可の調整項目がある場合、ユーザーに通知し、実施できない調整項目を除外するかを問い合わせするようにしてもよい。
【００６７】
図４は、一括調整できない調整項目がある場合に、ユーザーに通知を行うとともに、調整項目の除外を問い合わせする問い合わせ画面１４３０を示すものである。
選択されている調整項目に実施できない項目が含まれている場合、次回起動時に実施できない調整項目を問い合わせ画面のメッセージ欄１４３１に通知する。さらに、メッセージ欄１４３１には、電源ＯＦＦを進めるかの問い合わせを行う。電源ＯＦＦを進める場合、実施不可の調整項目は、起動時の調整から除外される。問い合わせに応じて、問い合わせ画面には、ＯＫ釦１４４０とキャンセル釦１４４１とが押下可能に表示されている。ＯＫ釦が押下されると、電源ＯＦＦし、キャンセル釦１４４１が押されると電源ＯＦＦ動作を中止する。ユーザーは、キャンセル釦１４４１を押下した場合、例えば資材や用紙が不足している場合、補充を行うことができる。その後、再度電源ＯＦＦの指示を行うことで、実施不可であった調整項目が実施可能となる。
【００６８】
ユーザーがそのまま電源ＯＦＦすることを選択した場合は、実施できない調整項目を除外して起動時の調整が行われる。したがって、調整時間の算出では、除外した調整項目分は除いて調整時間が算出される。調整項目が除かれて調整が行われた場合には、調整項目が除外されていることをユーザーに通知する。これにより異なるユーザーに対しても状況を知らせることができる。
なお、上記の説明では、ユーザーに対する通知は、操作表示部にメッセージを表示するものとして説明したが、通知先が画像形成装置に限定されるものではなく、外部の装置にネットワークなどを通して通知をするようにしてもよい。
【００６９】
なお、上記の手順は、制御部の制御によって行うことができ、画像形成装置や画像形成システムに備える制御部によって実行することができる。また、上記の手順は、画像形成装置を管理する管理装置で行うことができ、管理制御部の制御によって行われる。管理制御部では、画像形成装置に対し、上記手順を行うように指示して画像形成装置に上記手順を実行させることができる。
【００７０】
次に、起動スケジュールを変更するための手順を図５〜図７に基づいて説明する。なお、以下の手順は、制御部の制御によって実行される。
【００７１】
まず、起動時間を前倒し設定するための手順を、図５のフローチャートに基づいて説明する。なお、以下の説明で電源ＯＦＦとされる場合にも、少なくとも制御部で起動処理を行うことができる。
【００７２】
先ず、ユーザーによる電源ＯＦＦの指示を受ける（ステップｓ１）。電源ＯＦＦは、電源ＯＦＦ釦の押し下げなどによって指示がなされる。制御部では、電源ＯＦＦの指示を受けても直ちに電源ＯＦＦを行わず、以下の手順を実行する。また、電源ＯＦＦは、電源ＯＦＦの予約設定によって指示が発生するものであってもよく、管理装置からの操作によって指示が発生するものであってもよい。
次に、次回起動時間の設定があるかを判定する（ステップｓ２）。次回起動時間の設定がある場合（ステップｓ２、Ｙｅｓ）、一括調整の予約があるかを判定する（ステップｓ３）。次回起動時間の設定がない場合（ステップｓ２、Ｎｏ）、または一括調整の予約がない場合（ステップｓ３、Ｎｏ）、電源ＯＦＦ処理（ステップｓ１１）を開始する。
【００７３】
ステップｓ３で、一括調整予約があると判定された場合（ステップｓ３、Ｙｅｓ）、一括調整の調整項目が実施可能かをチェックし（ステップｓ４）、設定されている全調整が実施可能かを判定する（ステップｓ５）。全調整が実施可能である場合（ステップｓ５、Ｎｏ）、実施できない調整がある旨を操作表示部などに表示する（ステップｓ６）。その後、ユーザーがそのまま電源ＯＦＦするかを判定する（ステップｓ７）。電源ＯＦＦするかは、ユーザーに問い合わせをし、問い合わせ結果を得る。
そのまま電源ＯＦＦしない場合（ステップｓ７、Ｎｏ）、ステップｓ１に戻り、ユーザーによる電源ＯＦＦ指示を待つ。
ステップｓ７においてそのまま電源ＯＦＦする場合（ステップｓ７、Ｙｅｓ）、実施できない調整をスキップ設定する（ステップｓ８）。
【００７４】
ステップｓ８において実施できない調整をスキップ設定した後、または、ステップｓ５において全調整が実施可能であると判定された場合（ステップｓ５、Ｙｅｓ）、調整時間の計算を行う（ステップｓ９）。調整時間の計算手順は、図７のＡのフローに示されている。
調整時間の計算では、起動時に実施する調整に要する調整時間を計算する。なお、ステップｓ８において実施できない調整をスキップする設定がされている場合、スキップする項目を除いた調整項目において調整時間を計算する。
ステップｓ９で調整時間を計算した後、調整時間分起動時間を前倒しする設定を行い（ステップｓ１０）、電源ＯＦＦ処理を行う（ステップｓ１１）。
電源ＯＦＦ処理では、電源ＯＦＦに応じてＲＡＭ領域のデーターなどの必要な処理を行い、その後、電源をＯＦＦにし（ステップｓ１２）、手順を終了する。
【００７５】
次に、設定された起動時刻に基づいて画像形成装置を起動して調整を行う際の手順を、図６のフローチャートに基づいて説明する。以下の手順は、制御部の制御によって実行される。
【００７６】
画像形成装置が電源ＯＦＦとなっている状態で、現在時刻が起動時刻と一致するかどうかを判定する（ステップｓ２０）。なお、起動時刻とは、調整時間およびウォームアップ時間が考慮された後の起動時刻を意味する。現在時刻が起動時刻でない場合は現在時刻が起動時刻になるまで待機する（ステップｓ２０、Ｎｏ）。
【００７７】
現在時刻が起動時刻である場合（ステップｓ２０、Ｙｅｓ）、定着部のウォームアップ（Ｗ．Ｕ）を開始する（ステップｓ２１）。その後、定着部のウォームアップ中に実施可能な調整があるかを判定する（ステップｓ２２）。定着のウォームアップ中に実施可能な調整としては、用紙を出力しないで行う調整などが挙げられ、例えばガンマ自動調整や副走査濃度バランス調整がある。
一方、定着部のウォームアップ中に実施不可の調整としては、用紙を出力して行う調整があり、例えば画像形成における最高濃度調整や出力紙濃度調整がある。
定着部のウォームアップ中に実施可能な調整がある場合（ステップｓ２２、Ｙｅｓ）、定着部のウォームアップ中に実施可能な調整を実施し（ステップｓ２３）、定着部のウォームアップが完了したかの判定を行う（ステップｓ２４）。
定着部のウォームアップ中に実施可能な調整がない場合（ステップｓ２２、Ｎｏ）、定着部のウォームアップが完了したかの判定を行う（ステップｓ２４）。
【００７８】
定着部のウォームアップが完了していない場合（ステップｓ２４、Ｎｏ）、ステップｓ２２に戻り、定着部のウォームアップ中に実施可能な項目があるかを判定する。
定着部のウォームアップが完了した場合（ステップｓ２４、Ｙｅｓ）、ステップｓ２３で実施した項目以外の調整を実施し（ステップｓ２５）、調整実施後、電源ＯＮの手順を終了する。
なお、実施できない調整をスキップする設定がされている場合には、ステップｓ２５で調整を行った後の適宜の時機に、調整項目をスキップしていることをユーザーに通知するものとしてもよい。通知の方法は限定されないが、例えば操作表示部１４０に表示するものとすることができる。
【００７９】
次に、前倒しの起動時間を計算する手順を図７のフローチャートに基づいて説明する。以下の手順は、制御部の制御によって実行される。
先ず、予約された調整項目の中で、定着部のウォームアップ中に実施できる調整があるかを判定する（ステップｓ３０）。定着部のウォームアップ中に実施できる調整がない場合（ステップｓ３０、Ｎｏ）、前倒し時間を、定着部のウォームアップ時間と調整時間とを加算したものとする（ステップｓ３５）。その後、手順を終了する。
【００８０】
一方、定着部のウォームアップ中に実施できる調整がある場合（ステップｓ３０、Ｙｅｓ）、定着部のウォームアップ時間を計算し（ステップｓ３１）、定着部のウォームアップ中に実施できる調整に要する調整時間が定着部のウォームアップ時間以上かどうかを判定する（ステップｓ３２）。
【００８１】
定着のウォームアップ中に実施できる調整に要する調整時間が定着のウォームアップ時間以上である場合（ステップｓ３２、Ｙｅｓ）、前倒し時間を調整時間とする（ステップｓ３３）。一方、定着部のウォームアップ中に実施できる調整に要する調整時間が、定着部のウォームアップ時間未満である場合（ステップｓ３２、Ｎｏ）、前倒し時間を、予約された調整項目の調整時間から定着部のウォームアップ中に実施できる調整に要する調整時間を除外した時間と、定着部のウォームアップ時間との合計とする（ステップｓ３４）。ステップｓ３３またはステップ３４を終えたら、手順を終了する。
【００８２】
上記した手順により、起動時に行う調整に要する調整時間を考慮して起動時間が設定されるため、ユーザーが設定した起動時間となったときに必要な調整が完了した状態とすることが可能となる。
【００８３】
以上、本発明について上記実施形態に基づいて説明を行ったが、本発明の範囲を逸脱しない限りは前記実施形態を適宜変更することが可能である。
【符号の説明】
【００８４】
１    画像形成装置
３    ＬＡＮ
４    外部装置
１０    画像形成装置本体
１１０    制御ブロック
１１３    制御ＣＰＵ
１１４    ＲＯＭ
１１５    不揮発メモリー
１４０    操作表示部
１５１    画像形成部
１５１Ａ  ＬＤ
１５１Ｂ  感光体
１５１Ｃ  帯電器
１５１Ｄ  現像器
１５１Ｅ  転写部
１５１Ｆ  定着器
１６０    画像処理部（プリント＆スキャナーコントローラー）
１７０    大容量給紙トレイ
１８０    後処理装置（ＦＮＳ）
４００    外装装置制御部
１４００  設定画面
１４１０  ＯＫ釦
１４１１  キャンセル釦
１４２０  予約時刻設定欄
１４２１  一括調整チェック欄
１４３０  問い合わせ画面
１４３１  メッセージ欄
１４４０  ＯＫ釦
１４４１  キャンセル釦
【図１】
2017198795.tif 000003
【図２】
2017198795.tif 000004
【図３】
2017198795.tif 000005
【図４】
2017198795.tif 000006
【図５】
2017198795.tif 000007
【図６】
2017198795.tif 000008
【図７】
2017198795.tif 000009